【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
電動工具と、
前記電動工具に接続可能な電池パックと、
前記電動工具に接続可能な第１のアダプタと、
前記電池パックに接続可能な第２のアダプタと、
前記第１のアダプタ及び前記第２のアダプタに接続可能な汎用コンピュータと、を有するシステムであって、
前記電動工具は、モータと、前記電動工具の使用履歴情報を記憶する制御部と、を有し、
前記電池パックは、二次電池セルと、前記電池パックの使用履歴情報を記憶する制御部と、を有し、
前記第１のアダプタは、前記電動工具の制御部に電圧を供給する電源供給回路と、前記電動工具と前記汎用コンピュータの間で信号を変換する変換回路と、を有し、
前記第２のアダプタは、前記第１のアダプタとは別個に設けられたアダプタであって、前記電池パックと前記汎用コンピュータの間で信号を変換する変換回路を有し、
前記汎用コンピュータは、接続された機器から使用履歴情報を読み出す制御部を有し、
前記汎用コンピュータの制御部は、
前記電動工具、前記第１のアダプタ及び前記汎用コンピュータが接続された場合には、前記第１アダプタを介して、前記電動工具の使用履歴情報を読み出し、
前記電池パック、前記第２のアダプタ及び前記汎用コンピュータが接続された場合には、前記第２のアダプタを介して、前記電池パックの使用履歴情報を読み出すよう構成された、
ことを特徴とするシステム。
【請求項２】
前記第１のアダプタと前記汎用コンピュータは、通信ケーブルを介して接続され、及び／又は、
前記第２のアダプタと前記汎用コンピュータは、通信ケーブルを介して接続される、
ことを特徴とする請求項１に記載のシステム。
【請求項３】
前記第１のアダプタの前記電源供給回路は、前記汎用コンピュータから前記通信ケーブルを介して入力された電力を前記電動工具の制御部に供給するよう構成された、
ことを特徴とする請求項２に記載のシステム。
【請求項４】
前記汎用コンピュータは、前記電動工具又は電池パックから読み取った使用履歴情報をもとに前記電動工具又は電池パックを診断して診断結果を出力する診断プログラムを有する、
ことを特徴とする請求項１から３のいずれか一項に記載のシステム。
【請求項５】
前記診断結果は、前記電動工具又は電池パックの推定故障箇所に関する情報を含む、
ことを特徴とする請求項４に記載のシステム。
【請求項６】
前記システムは、さらに前記汎用コンピュータに接続可能なサーバーを有しており、
前記サーバーは、前記汎用コンピュータから前記電動工具又は前記電池パックの診断結果を受信して蓄積するよう構成された、
ことを特徴とする請求項４又は５のいずれか一項に記載のシステム。
【請求項７】
前記システムは、さらに前記電池パックに接続可能な充電器を有しており、
前記充電器は、接続された前記電池パックに対して充電電流を出力する充電回路と、前記充電器の使用履歴情報を記憶する制御部と、を有し、
前記第１のアダプタは、前記充電器に接続可能に構成され、
前記汎用コンピュータの制御部は、前記充電器、前記第１のアダプタ及び前記汎用コンピュータが接続された場合には、前記第１アダプタを介して、前記充電器の使用履歴情報を読み出すよう構成された、
ことを特徴とする請求項１から３のいずれか一項に記載のシステム。
【請求項８】
前記システムは、さらに前記電池パックに接続可能な充電器を有しており、
前記充電器は、接続された前記電池パックに対して充電電流を出力する充電回路と、前記充電器の使用履歴情報を記憶する制御部と、を有し、
前記第１のアダプタは、前記充電器に接続可能に構成され、
前記汎用コンピュータの制御部は、前記充電器、前記第１のアダプタ及び前記汎用コンピュータが接続された場合には、前記第１アダプタを介して、前記充電器の使用履歴情報を読み出すよう構成され、
前記汎用コンピュータの前記診断プログラムは、前記充電器から読み取った使用履歴情報をもとに前記充電器を診断して診断結果を出力するよう構成された、
ことを特徴とする請求４から６のいずれか一項に記載のシステム。
【手続補正２】
【補正対象書類名】明細書
【補正対象項目名】発明の名称
【補正方法】変更
【補正の内容】
【発明の名称】システム
【手続補正３】
【補正対象書類名】明細書
【補正対象項目名】０００１
【補正方法】変更
【補正の内容】
【０００１】
本発明は、使用履歴情報を記憶する機能を有する電気機器と汎用コンピュータとを有するシステムに関する。
【手続補正４】
【補正対象書類名】明細書
【補正対象項目名】０００４
【補正方法】変更
【補正の内容】
【０００４】
特許文献１の診断システムは、専用の保持台により故障有無を判定するため、汎用コンピュータでの判定はできず、不便である。
【手続補正５】
【補正対象書類名】明細書
【補正対象項目名】０００５
【補正方法】変更
【補正の内容】
【０００５】
本発明はこうした状況を認識してなされたものであり、利便性を高めることの可能なシステムを提供することにある。
【手続補正６】
【補正対象書類名】明細書
【補正対象項目名】０００６
【補正方法】変更
【補正の内容】
【０００６】
本発明のある態様は、システムである。このシステムは、
電動工具と、
前記電動工具に接続可能な電池パックと、
前記電動工具に接続可能な第１のアダプタと、
前記電池パックに接続可能な第２のアダプタと、
前記第１のアダプタ及び前記第２のアダプタに接続可能な汎用コンピュータと、を有するシステムであって、
前記電動工具は、モータと、前記電動工具の使用履歴情報を記憶する制御部と、を有し、
前記電池パックは、二次電池セルと、前記電池パックの使用履歴情報を記憶する制御部と、を有し、
前記第１のアダプタは、前記電動工具の制御部に電圧を供給する電源供給回路と、前記電動工具と前記汎用コンピュータの間で信号を変換する変換回路と、を有し、
前記第２のアダプタは、前記第１のアダプタとは別個に設けられたアダプタであって、前記電池パックと前記汎用コンピュータの間で信号を変換する変換回路を有し、
前記汎用コンピュータは、接続された機器から使用履歴情報を読み出す制御部を有し、
前記汎用コンピュータの制御部は、
前記電動工具、前記第１のアダプタ及び前記汎用コンピュータが接続された場合には、前記第１アダプタを介して、前記電動工具の使用履歴情報を読み出し、
前記電池パック、前記第２のアダプタ及び前記汎用コンピュータが接続された場合には、前記第２のアダプタを介して、前記電池パックの使用履歴情報を読み出すよう構成された、
ことを特徴とする。
【手続補正７】
【補正対象書類名】明細書
【補正対象項目名】０００７
【補正方法】変更
【補正の内容】
【０００７】
前記第１のアダプタと前記汎用コンピュータは、通信ケーブルを介して接続され、及び／又は、
前記第２のアダプタと前記汎用コンピュータは、通信ケーブルを介して接続されてもよい。
【手続補正８】
【補正対象書類名】明細書
【補正対象項目名】０００８
【補正方法】変更
【補正の内容】
【０００８】
前記第１のアダプタの前記電源供給回路は、前記汎用コンピュータから前記通信ケーブルを介して入力された電力を前記電動工具の制御部に供給するよう構成されてもよい。
【手続補正９】
【補正対象書類名】明細書
【補正対象項目名】０００９
【補正方法】変更
【補正の内容】
【０００９】
前記汎用コンピュータは、前記電動工具又は電池パックから読み取った使用履歴情報をもとに前記電動工具又は電池パックを診断して診断結果を出力する診断プログラムを有してもよい。
【手続補正１０】
【補正対象書類名】明細書
【補正対象項目名】００１０
【補正方法】変更
【補正の内容】
【００１０】
前記診断結果は、前記電動工具又は電池パックの推定故障箇所に関する情報を含んでもよい。
【手続補正１１】
【補正対象書類名】明細書
【補正対象項目名】００１１
【補正方法】変更
【補正の内容】
【００１１】
前記システムは、さらに前記汎用コンピュータに接続可能なサーバーを有しており、
前記サーバーは、前記汎用コンピュータから前記電動工具又は前記電池パックの診断結果を受信して蓄積するよう構成されてもよい。
【手続補正１２】
【補正対象書類名】明細書
【補正対象項目名】００１２
【補正方法】変更
【補正の内容】
【００１２】
前記システムは、さらに前記電池パックに接続可能な充電器を有しており、
前記充電器は、接続された前記電池パックに対して充電電流を出力する充電回路と、前記充電器の使用履歴情報を記憶する制御部と、を有し、
前記第１のアダプタは、前記充電器に接続可能に構成され、
前記汎用コンピュータの制御部は、前記充電器、前記第１のアダプタ及び前記汎用コンピュータが接続された場合には、前記第１アダプタを介して、前記充電器の使用履歴情報を読み出すよう構成されてもよい。
【手続補正１３】
【補正対象書類名】明細書
【補正対象項目名】００１３
【補正方法】変更
【補正の内容】
【００１３】
前記システムは、さらに前記電池パックに接続可能な充電器を有しており、
前記充電器は、接続された前記電池パックに対して充電電流を出力する充電回路と、前記充電器の使用履歴情報を記憶する制御部と、を有し、
前記第１のアダプタは、前記充電器に接続可能に構成され、
前記汎用コンピュータの制御部は、前記充電器、前記第１のアダプタ及び前記汎用コンピュータが接続された場合には、前記第１アダプタを介して、前記充電器の使用履歴情報を読み出すよう構成され、
前記汎用コンピュータの前記診断プログラムは、前記充電器から読み取った使用履歴情報をもとに前記充電器を診断して診断結果を出力するよう構成されてもよい。
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】削除
【補正の内容】
【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００２４
【補正方法】削除
【補正の内容】
【手続補正２５】
【補正対象書類名】明細書
【補正対象項目名】００２５
【補正方法】削除
【補正の内容】
【手続補正２６】
【補正対象書類名】明細書
【補正対象項目名】００２７
【補正方法】変更
【補正の内容】
【００２７】
本発明によれば、利便性を高めることの可能なシステムを提供することができる。